(57)【要約】【課題】  内カップを特定方向を以て外カップ中に挿入する必要がない、ティーメーカーの提供。【解決手段】  ティーメーカーの外カップ上端に軸で押圧部を具えたカバーが枢設され、該押圧部の上端面に貫通孔が設けられて位置決め部品の上端を突出させるのに供され、カバーが軸でハンドルに枢設され、片手で位置決め部品を操作して内カップを上昇させることができ、また片手でカバーを開き抽出した飲料を注ぐことができ、また、外カップの出口部が下から上の突出状に設けられ、この突出部が中空とされて外カップの内孔と連通し、該内カップの底部に浮子が設けられ、内カップの環面に全部或いは局部の網面が設けられ、内カップの上下の環面にそれぞれ環状の係止縁が設けられ、内カップの形状及びサイズが外カップの内孔に合わせて設けられて外カップ中に挿入可能である。【選択図】        図１
0003109260.tif 000002
【実用新案登録請求の範囲】
【請求項１】
位置決め部品を具えた外カップ、浮子を具えた内カップを具え、該内カップが外カップ中に昇降可能に置かれ、該内カップの上下の環面に肩状の係止縁が設けられて位置決め部品の阻止を受けて、内カップの昇降を制限する、ティーメーカーにおいて、
外カップの上端近くにハンドルが設けられ、ハンドルの上端に更に軸でカバーが枢設され、該カバーはプッシュブロックを具えて位置決め部品を押圧可能で、これにより内カップの昇降を制御することを特徴とする、ティーメーカー。
【請求項２】
請求項１記載のティーメーカーにおいて、内カップと外カップが円筒状に設けられたことを特徴とする、ティーメーカー。
【請求項３】
請求項１又は２記載のティーメーカーにおいて、ハンドルに対応する環面に中空の突出部が形成され、該突出部に軸で位置決め部品が枢設され、該位置決め部品に対応する外カップ環面に、別に開口縁より外カップ底部に延伸された突出部が形成され、内カップの環面に網面が形成され、内カップに網面を具えた内カバーが設けられたことを特徴とする、ティーメーカー。
【請求項４】
請求項３記載のティーメーカーにおいて、外カップのカバーの外側のハンドルに対応する部分に、中空の押圧部が延伸され、該押圧部の上面に貫通孔が設けられ、押圧部の内部に横向きの軸が設けられ、軸の下面に突出するプッシュブロックが形成され、押圧部の底面後側に係止ロッドが設けられ、ハンドルの上端面に嵌め溝が形成されたことを特徴とする、ティーメーカー。
【請求項５】
請求項３記載のティーメーカーにおいて、位置決め部品の枢設に供される中空の突出部に収容空間が形成され、突出部の上端に軸が設けられて位置決め部品がそれに嵌合され、位置決め部品が該収容空間に収容され、該位置決め部品が前後の二つの縦向きの足で形成された逆Ｕ形体とされてその上端に片状の操作部が形成され、二つの足の接続部の底面に嵌め孔が設けられ、該嵌め孔は外側が小さく内側が大きく、前の足の底端に径方向に突出するテーパ状の係止縁が設けられ、該位置決め部品が嵌め孔で外カップの突出部の軸に嵌合されることを特徴とする、ティーメーカー。
【請求項６】
請求項３記載のティーメーカーにおいて、浮子が内カップと一体に形成されたことを特徴とする、ティーメーカー。
【請求項７】
請求項３記載のティーメーカーにおいて、浮子が内カップに組み合わされたことを特徴とする、ティーメーカー。
【請求項８】
請求項３記載のティーメーカーにおいて、浮子が閉じられた中空体とされたことを特徴とする、ティーメーカー。
【請求項９】
請求項３記載のティーメーカーにおいて、浮子は浮力を有する材料で形成された実心体とされたことを特徴とする、ティーメーカー。
【考案の詳細な説明】
【技術分野】
【０００１】
本考案は一種のティーメーカーに係り、その主要な用途は茶葉、花、コーヒー等を抽出して飲用に供することにあり、ティーメーカーの外カップ上端に軸で押圧部を具えたカバーが枢設され、該押圧部の上端面に貫通孔が設けられて位置決め部品の上端を突出させるのに供され、カバーが軸でハンドルに枢設され、片手で位置決め部品を操作して内カップを上昇させることができ、また片手でカバーを開き抽出した飲料を注ぐことができ、また、外カップの出口部が下から上の突出状に設けられ、この突出部が中空とされて外カップの内孔と連通し、該内カップの底部に浮子が設けられ、内カップの環面に全部或いは局部の網面が設けられ、内カップの上下の環面にそれぞれ環状の係止縁が設けられ、内カップの形状及びサイズが外カップの内孔に合わせて設けられて外カップ中に挿入可能であり、この構造設計により、内カップを特定方向を以て外カップ中に挿入する必要がない、ティーメーカーに関する。
【背景技術】
【０００２】
特許文献１及び特許文献２に記載の発明はいずれも本考案者によるものであり、これらに記載のティーメーカーはいずれも予期された目的を達成するが、更に操作を容易となすために改良できる点がある。すなわち、これらの特許文献に記載のティーメーカーは、抽出後の飲料を注ぐ時、まず盛水カップのカバー１０を取り外し、更に操作ロッド４１を回して係止縁４１１を抽出装置２０との係合状態より離脱させて収容空間１３中に縮入させ、該抽出装置２０を浮筒３０の浮力により上昇させ、更に手で盛水カップのハンドルを握持して飲料を注がねばならず、上述の三つの動作を両手で行わなければ、複数の段階を以て順に完成しなければならず、不便である。また、この周知の技術の抽出装置２０及び浮筒３０は二つのガイドレール１２と盛水カップ１０で囲まれた形状に合わせるために、抽出装置２０と浮筒３０を盛水カップ１０中に挿入する時、特定の方向でなければ挿入することができず、使用上の不便利性を増し、この周知の技術はその達成する機能を更に完全なものとするため、更に改良の必要がある。
【０００３】
【特許文献１】台湾実用新案第８９２１８９２１号
【特許文献２】米国特許第６４９４１２９号
【考案の開示】
【考案が解決しようとする課題】
【０００４】
本考案の主要な目的は、ティーメーカーを使用する時に、片手で内カップの上昇、カバーの開放、抽出された飲料を注ぐ動作を行え、便利性を提供できるようにすることにある。
【０００５】
本考案の次の目的は、ティーメーカーを使用する時に、内カップを外カップ内に置くときに、特定方向でなくても置くことができ、便利性を提供できるようにすることにある。
【課題を解決するための手段】
【０００６】
請求項１の考案は、位置決め部品を具えた外カップ、浮子を具えた内カップを具え、該内カップが外カップ中に昇降可能に置かれ、該内カップの上下の環面に肩状の係止縁が設けられて位置決め部品の阻止を受けて、内カップの昇降を制限する、ティーメーカーにおいて、
外カップの上端近くにハンドルが設けられ、ハンドルの上端に更に軸でカバーが枢設され、該カバーはプッシュブロックを具えて位置決め部品を押圧可能で、これにより内カップの昇降を制御することを特徴とする、ティーメーカーとしている。
請求項２の考案は、請求項１記載のティーメーカーにおいて、内カップと外カップが円筒状に設けられたことを特徴とする、ティーメーカーとしている。
請求項３の考案は、請求項１又は２記載のティーメーカーにおいて、ハンドルに対応する環面に中空の突出部が形成され、該突出部に軸で位置決め部品が枢設され、該位置決め部品に対応する外カップ環面に、別に開口縁より外カップ底部に延伸された突出部が形成され、内カップの環面に網面が形成され、内カップに網面を具えた内カバーが設けられたことを特徴とする、ティーメーカーとしている。
請求項４の考案は、請求項３記載のティーメーカーにおいて、外カップのカバーの外側のハンドルに対応する部分に、中空の押圧部が延伸され、該押圧部の上面に貫通孔が設けられ、押圧部の内部に横向きの軸が設けられ、軸の下面に突出するプッシュブロックが形成され、押圧部の底面後側に係止ロッドが設けられ、ハンドルの上端面に嵌め溝が形成されたことを特徴とする、ティーメーカーとしている。
請求項５の考案は、請求項３記載のティーメーカーにおいて、位置決め部品の枢設に供される中空の突出部に収容空間が形成され、突出部の上端に軸が設けられて位置決め部品がそれに嵌合され、位置決め部品が該収容空間に収容され、該位置決め部品が前後の二つの縦向きの足で形成された逆Ｕ形体とされてその上端に片状の操作部が形成され、二つの足の接続部の底面に嵌め孔が設けられ、該嵌め孔は外側が小さく内側が大きく、前の足の底端に径方向に突出するテーパ状の係止縁が設けられ、該位置決め部品が嵌め孔で外カップの突出部の軸に嵌合されることを特徴とする、ティーメーカーとしている。
請求項６の考案は、請求項３記載のティーメーカーにおいて、浮子が内カップと一体に形成されたことを特徴とする、ティーメーカーとしている。
請求項７の考案は、請求項３記載のティーメーカーにおいて、浮子が内カップに組み合わされたことを特徴とする、ティーメーカーとしている。
請求項８の考案は、請求項３記載のティーメーカーにおいて、浮子が閉じられた中空体とされたことを特徴とする、ティーメーカーとしている。
請求項９の考案は、請求項３記載のティーメーカーにおいて、浮子は浮力を有する材料で形成された実心体とされたことを特徴とする、ティーメーカーとしている。
【考案の効果】
【０００７】
本考案のティーメーカーは、ティーメーカーを使用する時に、片手で内カップの上昇、カバーの開放、抽出された飲料を注ぐ動作を行え、便利性を提供し、また、内カップを外カップ内に置くときに、特定方向でなくても置くことができ、便利性を提供できる。
【考案を実施するための最良の形態】
【０００８】
本考案の改良の特徴は、位置決め部品を具えた外カップ、及び、内カップを具え、該内カップは浮子を具え、該内カップは外カップ中で昇降可能で、外カップの上端近くにハンドルが設けられ、ハンドルに枢軸でカバーが枢設され、該カバーはプッシュブロックを具えて該プッシュブロックで位置決め部品を押圧して、これにより内カップの昇降を制御でき、該内カップの上下の環面に係止縁が設けられて位置決め部品の阻止を受けられるものとされ、これにより内カップの昇降を制限する。
【実施例１】
【０００９】
図１から図３に示されるように、本実施例のティーメーカー４０は、カバー４１、位置決め部品４２、外カップ４３、浮子４５１を具えた内カップ４５を具えている。
【００１０】
該カバー４１は、枢軸で外カップ４３の開口端に枢設され外カップ４３を開閉でき、その外側に中空の押圧部４１１が形成され、押圧部４１１の上端面に貫通孔４１４が設けられ、押圧部４１１中に横向きの軸４１２が設けられ、軸４１２の下面に突出するプッシュブロック４１３が形成され、押圧部４１１の底面後側に係止ロッド４１５が設けられている。
【００１１】
該位置決め部品４２は、前後の二つの縦向きの足４２３、４２２が形成する逆Ｕ形体であり、その上端に片状の操作部４２１が設けられ、二つの足４２３、４２２の接続点の底面に嵌め孔４２４が設けられ、該嵌め孔４２４は外側が小さく内側が大きく、前の足４２３の底端に径方向に向けてテーパ状に突出する係止縁４２５が設けられている。
【００１２】
該外カップ４３は円筒状に形成され盛水の機能を具え、その外環面にハンドル４３１が形成されている。ハンドル４３１の上端面には少なくとも一つの凸耳４３２、４３２’及び嵌め溝４３１１が設けられ、各凸耳に開口が上向きの嵌め孔４３２１、４３２１’が設けられ、各嵌め孔４３２１、４３２１’は外側が小さく内側が大きく、各凸耳間にカバー４１の軸４１２が嵌め込まれてカバー４１が外カップ４３のハンドル４３１上端に枢設される。外カップ４３の環面にあってハンドル４３１に対応する位置には中空の突出部４３３が設けられ、該突出部４３３中に収容空間４３４が形成され、突出部４３３の上端は開放状を呈し、底端は閉鎖状を呈し、突出部４３３の上端に軸４３５が設けられて位置決め部品４２の嵌め孔４２４がそれに嵌合され、これにより位置決め部品４２が収容空間４３４中に収容され、並びに位置決め部品４２の係止縁４２５が収容空間４３４よりやや突出し、位置決め部品４２の上端の操作部４２１がカバー４１の押圧部４１１の貫通孔４１４より突出し、突出部４３３に対応する環面に別に、開口端より底部に延伸された中空の突出部４３６が形成され、該外カップ４３の内孔は浮子４５１を具えた内カップ４５の挿入に供され、且つ内カップ４５を上下に昇降可能に収容する。
【００１３】
該内カップ４５は、外カップ４３の円筒状に合わせて設けられ、並びに外カップ４３の内孔サイズに近いサイズとされ、その底部に浮子４５１が設けられ、該内カップ４５の底面は中心位置が突出して四周の環面に向けて傾斜する。
【００１４】
該浮子４５１は内カップ４５と一体に形成されるか或いは組合せ式とされ、該浮子４５１は密封された中空体とされるか或いは浮力を具えた材料で形成された実心体とされ、該内カップ４５の環面に全部或いは局部の網面が形成され、外カップ４３の突出部４３３に対応する環面に、網面４５２が設けられ、内カップ４５の上端に内カバー４４が設けられ、内カバー４４の大部分は網面４４４で構成され、その外側に複数の切欠き４４２が設けられ、各切欠き４４２の同側に接近する上環面に切欠きに向けて漸次薄くなる当接部４４３が設けられ、内カバー４４の中間位置に回転締めつけ操作に供されるつまみ４４１が設けられ、内カバー４４の各切欠き４４２に対応する内カップ４５の上環面に径方向にやや突出する凸塊４５３が形成され、各凸塊４５３の下方の内環面に径方向に径方向にやや突出する環状凸縁４５４が形成され、該環状凸縁４５４は内カバー４４をその上に支持可能で、内カバー４４が回される時、各当接部４４３がその対応する凸塊４５３底面に圧接されて内カバー４４が固定され、内カップ４５の上下の外環面に外環面を囲むように肩状の係止縁４５７、４５６が形成されている。
【００１５】
図３、４、５を参照されたい。本実施例のティーメーカー４０は茶をいれる時に、まず茶葉等の被抽出物を入れた内カップ４５及び浮子４５１を下圧し、並びに浮子４５１の底面に外カップ４３の内底面を押圧させる。本実施例の内カップ４５の形状及びサイズは外カップ４３の内孔に接近するため、内カップ４５を外カップ４３内に挿入するのに特定の方向の制限はなく、該位置決め部品４２の係止縁４２５はその前の足４２３の弾力により収容空間４３４より突出し、内カップ４５の上環面の係止縁４５７に圧接し、内カップ４５を上昇不能とする。使用者は熱水を注いで内カップ４５中の被抽出物を被覆し、並びに水位を内カバー４４よりやや高くし、図４に示されるように、ある時間浸漬させた後、使用者は直接カバー４１の押圧部４１１より突出する位置決め部品４２の操作部４２１を押動して位置決め部品４２の係止縁４２５を内カップ４５の係止縁４５７との係止状態より離脱させて、内カップ４５をその底部の浮子４５１により上昇させて、抽出された飲料を内カップ４５の環面の網面４５２より外カップ４３の底部に流出させる。飲料を注ぎたい時は、片手で押圧部４１１を軽く押してカバー４１を開放し、外カップ４３を傾斜させれば飲料を注ぐことができ、手で続けて押圧部４１１を押圧しなければ、カバー４１が全開して押圧部４１１の底面後側の係止ロッド４１５がハンドル４３１の上端面の嵌め溝４３１１中に嵌入し、カバー４１に力を加えなくても閉じず、図５に示されるように、浮子４５１下方に分布する飲料が不断に注がれる時に、サイフォン効果を形成し、浮子４５１及び内カップ４５に対して吸引力が形成され、浮子４５１と内カップ４５が外カップ４３内孔をスライドし、すなわち外カップ４３の底方向に向けてスライドして脱落しない。
【００１６】
以上の説明により、本考案は以下の長所を有する。
１．本考案のティーメーカーは片手操作でき、内カップを上昇させて、カバーを開放して抽出された飲料を注ぐことができ、使用の便利性を提供できる。
２．本考案の内カップは特定方向によらず外カップ中に挿入でき、使用上の便利性を提供できる。
【００１７】
総合すると、本考案は実用性と進歩性を具え、且つ国内外の文献中に同じ或いは近似の構造は記載されておらず、実用新案登録の要件を具備している。
【図面の簡単な説明】
【００１８】
【図１】本考案の立体分解図である。
【図２】本考案の立体外観図である。
【図３】本考案の断面動作図である。
【図４】本考案の断面動作図である。
【図５】本考案の断面動作図である。
【符号の説明】
【００１９】
４０  ティーメーカー          ４１  カバー        ４１１  押圧部
４１２  軸                    ４１３  プッシュブロック
４１４  貫通孔                ４１５  係止ロッド
４２  位置決め部品            ４２１  押圧部
４２２  足                    ４２３  足
４２４  嵌め孔                ４２５  係止縁
４３  外カップ                ４３１  ハンドル
４３１１  嵌め溝              ４３２  凸耳
４３２’  凸耳                ４３２１  嵌め孔
４３２１’  嵌め孔            ４３３  突出部
４３４  収容空間              ４３５  軸
４３６  突出部                ４４  内カバー
４４１  つまみ                ４４２  切欠き
４４３  当接部                ４４４  網面
４５  内カップ                ４５１  浮子
４５２  網面                  ４５３  凸塊
４５４  凸縁                  ４５５  隔離板
４５６  係止縁                ４５７  係止縁
【図１】
0003109260.tif 000003
【図２】
0003109260.tif 000004
【図３】
0003109260.tif 000005
【図４】
0003109260.tif 000006
【図５】
0003109260.tif 000007